(57)【要約】【課題】遮光樹脂タンクにおける液状物の液面の視認性を損なうことなく内部を遮光して前記液状物を紫外線等から保護し得るようにする。【解決手段】遮光を要する液状物（自動車用の冷却液）を貯蔵するための遮光樹脂タンク１に関し、遮光性樹脂素材から成る外層２と、透光性樹脂素材から成る内層３とが一体的に溶着された二層構造を成し、前記外層２の一部に高さ方向に延在して前記内層３を露出させるスリット４が形成された遮光樹脂タンク１とする。【選択図】図１
2017214071.tif 000002
【特許請求の範囲】
【請求項１】
遮光を要する液状物を貯蔵するための遮光樹脂タンクであって、遮光性樹脂素材から成る外層と、透光性樹脂素材から成る内層とが一体的に溶着された二層構造を成し、前記外層の一部に高さ方向に延在して前記内層を露出させるスリットが形成されていることを特徴とする遮光樹脂タンク。
【請求項２】
貯蔵すべき液状物として自動車用の冷却液を対象とし、透光性樹脂素材から成る内層が紫外線吸収剤を含有していることを特徴とする請求項１に記載の遮光樹脂タンク。
【請求項３】
遮光を要する液状物を貯蔵するための遮光樹脂タンクの製造方法であって、Ｃ形の外周口とＯ形の内周口とから成る二重の吐出口を下向きに備えた成形機を使用し、前記外周口から遮光性の溶融樹脂をＣ形断面の筒状を成すように吐出し且つ前記内周口からは透光性の溶融樹脂をＯ形断面の筒状を成すように吐出して二層のパリソンを下方へ延ばし、該パリソンを両側から金型で挟み込んで内部に圧縮空気を導入することにより膨らませて前記金型の内壁に押し付け、これによりタンク形状を付して冷却固化後に金型を開いて取り出すことを特徴とする遮光樹脂タンクの製造方法。
【発明の詳細な説明】
【技術分野】
【０００１】
本発明は、遮光樹脂タンク及びその製造方法に関するものである。
【背景技術】
【０００２】
従来、自動車用の冷却液を貯蔵するためのヘッダタンクやリザーバタンクには、乳白色のポリプロピレン樹脂が用いられており、このような乳白色のポリプロピレン樹脂を用いたヘッダタンクやリザーバタンクによれば、冷却液を漏らさず確実に保持することができると共に、過熱による加圧にも容易に耐えることができ、更には、自由な形に成形することもできて、液面を簡単に視認することもできるといったメリットが得られる。
【０００３】
尚、後述する本発明に直接的に関連する先行技術文献情報は特に存在しないが、一般的な自動車用の冷却液タンクに関連する先行技術文献情報としては下記の特許文献１等が存在している。
【先行技術文献】
【特許文献】
【０００４】
【特許文献１】特開２０１４−６６２５０号公報
【発明の概要】
【発明が解決しようとする課題】
【０００５】
しかしながら、乳白色のポリプロピレン樹脂から成るヘッダタンクやリザーバタンクでは、その透光性により冷却液の液面を簡単に視認することができるというメリットがある反面、紫外線の影響により冷却液中の添加剤が沈殿して見栄えが悪くなるという問題があった。
【０００６】
本発明は上述の実情に鑑みてなしたもので、液状物の液面の視認性を損なうことなく内部を遮光して前記液状物を紫外線等から保護し得る遮光樹脂タンク及びその製造方法を提供することを目的とする。
【課題を解決するための手段】
【０００７】
本発明は、遮光を要する液状物を貯蔵するための遮光樹脂タンクであって、遮光性樹脂素材から成る外層と、透光性樹脂素材から成る内層とが一体的に溶着された二層構造を成し、前記外層の一部に高さ方向に延在して前記内層を露出させるスリットが形成されていることを特徴とするものである。
【０００８】
而して、このようにすれば、遮光性樹脂素材から成る外層により内部が遮光されるので、ここに貯蔵されている液状物を紫外線等から保護することが可能となり、しかも、透光性樹脂素材から成る内層が外層のスリットから部分的に露出しているので、該スリットから内層を透かして液状物の液面を従前通り視認することが可能となる。
【０００９】
また、本発明においては、貯蔵すべき液状物として自動車用の冷却液を対象とし、透光性樹脂素材から成る内層が紫外線吸収剤を含有していることが好ましく、このようにすれば、外層のスリットから露出する内層においても紫外線吸収剤により紫外線を吸収させて内部への透過を低減させることが可能となる。
【００１０】
即ち、自動車用の冷却液は、紫外線の影響により冷却液中の添加剤が沈殿してしまうことがあるが、表面の大半を外層により遮光し且つ部分的にスリットから露出した内層についても紫外線吸収剤により紫外線の透過を阻むようにしておけば、前記冷却液中の添加剤の沈殿が著しく抑制されることになる。
【００１１】
更に、本発明の遮光樹脂タンクを具体的に製造するにあたっては、Ｃ形の外周口とＯ形の内周口とから成る二重の吐出口を下向きに備えた成形機を使用し、前記外周口から遮光性の溶融樹脂をＣ形断面の筒状を成すように吐出し且つ前記内周口からは透光性の溶融樹脂をＯ形断面の筒状を成すように吐出して二層のパリソンを下方へ延ばし、該パリソンを両側から金型で挟み込んで内部に圧縮空気を導入することにより膨らませて前記金型の内壁に押し付け、これによりタンク形状を付して冷却固化後に金型を開いて取り出すようにすれば良く、このようにすれば、成形機の吐出口に若干の改造を加えるだけで既存の多層ブロー成形法を用いて簡単に製造することが可能となる。
【発明の効果】
【００１２】
上記した本発明の遮光樹脂タンク及びその製造方法によれば、下記の如き種々の優れた効果を奏し得る。
【００１３】
（Ｉ）本発明の請求項１に記載の発明によれば、遮光性樹脂素材から成る外層により内部を遮光しながらも、スリットから内層を透かして液状物の液面を視認することができるので、液状物の液面の視認性を損なうことなく内部を遮光して前記液状物を紫外線等から保護することができ、例えば、液状物が自動車用の冷却液である場合に、紫外線の影響により冷却液中の添加剤が沈殿してしまうことを抑制して見栄えの大幅な改善を図ることができる。
【００１４】
（ＩＩ）本発明の請求項２に記載の発明によれば、表面の大半を外層により遮光し且つ部分的にスリットから露出した内層についても紫外線吸収剤により紫外線の透過を阻むようにしておけば、紫外線の影響により冷却液中の添加剤が沈殿してしまうことをより確実に抑制することができる。
【００１５】
（ＩＩＩ）本発明の請求項３に記載の発明によれば、成形機の吐出口に若干の改造を加えるだけで既存の多層ブロー成形法により請求項１，２に記載の遮光樹脂タンクを簡単に製造することができる。
【図面の簡単な説明】
【００１６】
【図１】本発明を実施する形態の一例を示す斜視図である。
【図２】図１の遮光樹脂タンクの横断面図である。
【図３】図１の遮光樹脂タンクの製造方法に関する第一工程の説明図である。
【図４】図３のＩＶ−ＩＶ方向の矢視図である。
【図５】図１の遮光樹脂タンクの製造方法に関する第二工程の説明図である。
【図６】図１の遮光樹脂タンクの製造方法に関する第三工程の説明図である。
【図７】図１の遮光樹脂タンクの製造方法に関する第四工程の説明図である。
【発明を実施するための形態】
【００１７】
以下、本発明の実施の形態を図面を参照しつつ説明する。
【００１８】
図１〜図７は本発明を実施する形態の一例を示すもので、図中１は遮光を要する液状物を貯蔵するための遮光樹脂タンクを示し、ここに図示している例では、貯蔵すべき液状物として自動車用の冷却液を対象とした場合を例示している。
【００１９】
図１及び図２に示す如く、前記遮光樹脂タンク１は、遮光性樹脂素材から成る外層２と、透光性樹脂素材から成る内層３とが一体的に溶着された二層構造を成すようにしてあり、前記外層２の一部に高さ方向に延在して前記内層３を露出させるスリット４が形成されるようになっている。
【００２０】
ここで、外層２を成す遮光性樹脂素材には、カーボンブラック等の遮光性のある顔料を添加した樹脂剤を用いれば良く、また、内層３を成す透光性樹脂素材には、従来用いられている乳白色の樹脂剤にTinuvin（登録商標）等の紫外線吸収剤を０.５〜２％程度添加したものを用いれば良い。
【００２１】
また、斯かる構造の遮光樹脂タンク１を具体的に製造するにあたっては、既存の多層ブロー成形法を用いて簡単に製造することが可能であり、図３及び図４に示す如く、Ｃ形（図４参照）の外周口５とＯ形（図４参照）の内周口６とから成る二重の吐出口７を下向きに備えた成形機８を使用することが好ましい。
【００２２】
この成形機８には、遮光性の溶融樹脂を押し出し供給する押出機９と、透光性の溶融樹脂を押し出し供給する押出機１０とが夫々備えられており、前記押出機９からの溶融樹脂が前記Ｃ形の外周口５に供給され且つ前記押出機１０からの溶融樹脂が前記Ｏ形の内周口６に供給されるようになっている。
【００２３】
而して、斯かる成形機８を使用して前記外周口５から遮光性の溶融樹脂をＣ形断面の筒状を成すように吐出し且つ前記内周口６からは透光性の溶融樹脂をＯ形断面の筒状を成すように吐出すると、二層のパリソン１１が下方へ延びて金型１２，１３間に垂下することになる（図３の第一工程を参照）。
【００２４】
次いで、金型１２，１３を閉じてパリソン１１を挟み込み（図５の第二工程を参照）、該パリソン１１の内部に圧縮空気Ａを導入することにより膨らませて前記金型１２，１３の内壁に押し付け（図６の第三工程を参照）、これによりタンク形状を付して冷却固化後に金型１２，１３を開いて遮光樹脂タンク１を取り出す（図７の第四工程を参照）。
【００２５】
このようにして製造された遮光樹脂タンク１によれば、遮光性樹脂素材から成る外層２により内部が遮光されるので、ここに貯蔵されている冷却液を紫外線等から保護することが可能となり、しかも、透光性樹脂素材から成る内層３が外層２のスリット４から部分的に露出しているので、該スリット４から内層３を透かして冷却液の液面を従前通り視認することが可能となる。
【００２６】
従って、上記形態例によれば、遮光性樹脂素材から成る外層２により内部を遮光しながらも、スリット４から内層３を透かして冷却液の液面を視認することができるので、冷却液の液面の視認性を損なうことなく内部を遮光して前記冷却液を紫外線等から保護することができ、紫外線の影響により冷却液中の添加剤が沈殿してしまうことを抑制して見栄えの大幅な改善を図ることができる。
【００２７】
また、特に本形態例においては、表面の大半を外層２により遮光し且つ部分的にスリット４から露出した内層３についても紫外線吸収剤により紫外線の透過を阻むようにしているので、紫外線の影響により冷却液中の添加剤が沈殿してしまうことをより確実に抑制することができる。
【００２８】
尚、本発明の遮光樹脂タンク及びその製造方法は、上述の形態例にのみ限定されるものではなく、自動車用の冷却液以外の遮光を要する様々な液状物を対象として良いこと、その他、本発明の要旨を逸脱しない範囲内において種々変更を加え得ることは勿論である。
【符号の説明】
【００２９】
１      遮光樹脂タンク
２      外層
３      内層
４      スリット
５      外周口
６      内周口
７      吐出口
８      成形機
１１    パリソン
１２    金型
１３    金型
Ａ      圧縮空気
【図１】
2017214071.tif 000003
【図２】
2017214071.tif 000004
【図３】
2017214071.tif 000005
【図４】
2017214071.tif 000006
【図５】
2017214071.tif 000007
【図６】
2017214071.tif 000008
【図７】
2017214071.tif 000009